(57)【要約】【課題】風や波の影響を受けずに正確に、視認性よく、魚のあたりを知らせることができる、魚釣り用浮きを提供する。【解決手段】魚釣り用浮き（１）は、水密構造で水圧により変形可能なケーシング（２）と、前記ケーシングの内部の圧力変動を検出し、前記圧力変動に応じた出力信号を出力する圧力センサ（３）と、を備えることを特徴とする。【選択図】図１
2020195313.tif 000002
【特許請求の範囲】
【請求項１】
水密構造で水圧により変形可能なケーシングと、
前記ケーシングの内部の圧力変動を検出し、前記圧力変動に応じた出力信号を出力する圧力センサと、
を備えることを特徴とする魚釣り用浮き。
【請求項２】
前記出力信号に基づいて、魚のあたりを検出する信号処理部
を更に備えることを特徴とする、請求項１に記載の魚釣り用浮き。
【請求項３】
魚のあたりを検出したことに応じて発光する発光素子
を更に備え、
前記信号処理部は、魚のあたりを検出したことに応じて、前記発光素子を発光させるように制御することを特徴とする、請求項２に記載の魚釣り用浮き。
【請求項４】
前記ケーシングの一部に、他の部分より変形しやすい易変形部を設けていることを特徴とする、請求項１から３のいずれか１項に記載の魚釣り用浮き。
【請求項５】
前記ケーシングは、上ケースと下ケースから構成され、
前記上ケースと前記下ケースとの接触部は、嵌合構造を有し、弾性体を介して前記上ケースと前記下ケースとを締め付けることにより、前記ケーシングの水密性を保つように構成されていることを特徴とする、請求項１から４のいずれか１項に記載の魚釣り用浮き。
【請求項６】
前記接触部の嵌合構造にガタを持たせていることを特徴とする、請求項５に記載の魚釣り用浮き。
【請求項７】
前記ケーシングの内部空間の少なくとも一部を充填材で埋めていることを特徴とする、請求項１から６のいずれか１項に記載の魚釣り用浮き。
【請求項８】
前記発光素子は、魚のあたりを検出したことに応じて、輝度や色を変えることを特徴とする、請求項１から７のいずれか１項に記載の魚釣り用浮き。
【請求項９】
無線通信部を更に備え、
前記無線通信部は、前記信号処理部による魚のあたりの検出結果を、無線通信で外部の無線受信器に送信することを特徴とする、請求項２から７のいずれか１項に記載の魚釣り用浮き。
【請求項１０】
無線通信部を更に備え、
前記無線通信部は、前記圧力センサの前記出力信号を、無線通信で外部の無線受信器に送信することを特徴とする、請求項１に記載の魚釣り用浮き。
【発明の詳細な説明】
【技術分野】
【０００１】
本発明は、魚釣り用浮きに関する。
【背景技術】
【０００２】
魚釣りにおいて、仕掛け（釣り針、釣り糸など）に付けられた餌に魚が食いついたり引っ張ったときに、仕掛けに動きが生じる。魚釣り用浮きは、この仕掛けに生じた動きを、釣り人がいわゆる「魚のあたり」として視覚的に認識するために使用される。釣り人はこの「あたり」を認識することで、仕掛けを引き上げるタイミングを図り、適切な「合わせ（例えば、魚の口に針を掛ける）」を行うことで釣果（魚など）を上げることができる。
【０００３】
特に風があるときや波が高いときは、風や波の影響による浮きの動きと、「魚のあたり」による浮きの動きとが判別しにくいという問題がある。また、釣りの仕掛けを遠投し浮きが遠くにあるときや、夜釣りなど暗い時間帯のときは、浮きの動きが見えにくく、「魚のあたり」がよく分からないという問題がある。
【０００４】
このような問題を解決するための魚釣り用浮きとして、例えば、特許文献１は、内部に圧力センサを有する魚釣り用浮きを開示している。この圧力センサは、浮きに掛かる水圧（浮きの外部の水圧）を検知し水深を検知することが開示されている。魚釣り用浮きのケーシングの一部に形成された貫通孔を介して、圧力センサの圧力導入口の先端がケーシング外部に突出するように配置されている。この圧力導入口を介して掛かる水圧を、ケーシング内に配設された圧力センサ本体で検知する。
【先行技術文献】
【特許文献】
【０００５】
【特許文献１】特開２００９−１１８８０９号公報
【発明の概要】
【発明が解決しようとする課題】
【０００６】
特許文献１が開示する魚釣り用浮きでは、圧力センサの水圧測定部位は、ケーシング外部に突出した圧力導入口に限定される。すなわち、この圧力センサは、浮きの一部である圧力導入口の水圧を測定している。そのため、風や波によって浮きの傾きが変化した場合、圧力導入口が上下変動し圧力導入口の水深が変化するため、風や波の影響を受けて検出する水圧が変化する。したがって、風や波の影響による水圧の変化と、「魚のあたり」による水圧の変化との判別が難しいという問題があった。さらに、浮きのケーシングに形成された貫通孔から水を導入するため、水がケーシング内部に漏れるリスクが高くなるという問題があった。
【０００７】
本発明は上記事情に鑑みてなされたものであり、風や波があるときでもそれらの影響を受けずに正確に、また、浮きが遠くにあるときや暗い時間帯（夕方や夜間）でも視認性よく、「魚のあたり」を知らせることができる、魚釣り用浮きを提供することを目的とする。また、本発明は、ケーシングに貫通孔などの圧力導入口を設ける必要がなく、容易に構成でき、水漏れなどの不具合の可能性が低い、魚釣り用浮きを提供することを目的とする。
【課題を解決するための手段】
【０００８】
上記課題を解決するために、本発明の１態様に係る魚釣り用浮きは、水密構造で水圧により変形可能なケーシングと、前記ケーシングの内部の圧力変動を検出し、前記圧力変動に応じた出力信号を出力する圧力センサと、を備える。
【０００９】
前記魚釣り用浮きは、前記出力信号に基づいて、魚のあたりを検出する信号処理部を更に備えてもよい。
【００１０】
前記魚釣り用浮きは、魚のあたりを検出したことに応じて発光する発光素子を更に備え、前記信号処理部は、魚のあたりを検出したことに応じて、前記発光素子を発光させるように制御してもよい。
【００１１】
前記ケーシングの一部に、他の部分より変形しやすい易変形部を設けてもよい。
【００１２】
前記ケーシングは、上ケースと下ケースから構成され、前記上ケースと前記下ケースとの接触部は、嵌合構造を有し、弾性体を介して前記上ケースと前記下ケースとを締め付けることにより、前記ケーシングの水密性を保つように構成されていてもよい。
【００１３】
前記接触部の嵌合構造にガタを持たせていてもよい。
【００１４】
前記ケーシングの内部空間の少なくとも一部を充填材で埋めていてもよい。
【００１５】
前記発光素子は、魚のあたりを検出したことに応じて、輝度や色を変えてもよい。
【００１６】
前記魚釣り用浮きは、無線通信部を更に備え、前記無線通信部は、前記信号処理部による魚のあたりの検出結果を、無線通信で外部の無線受信器に送信してもよい。
【００１７】
前記魚釣り用浮きは、無線通信部を更に備え、前記無線通信部は、前記圧力センサの前記出力信号を、無線通信で外部の無線受信器に送信してもよい。
【発明の効果】
【００１８】
本発明の各態様に係る魚釣り用浮きによれば、風や波があるときでも、それらの影響を受けずに正確に「魚のあたり」を知らせることができる。また、浮きが遠くにあるときや、暗い時間帯（夕方や夜間）でも、視認性よく「魚のあたり」を知らせることができる。また、本発明の各態様に係る魚釣り用浮きは、ケーシングに貫通孔などの圧力導入口を設ける必要がなく、容易に構成でき、水漏れなどの不具合の可能性が低い。
【図面の簡単な説明】
【００１９】
【図１】本発明の一実施形態に係る魚釣り用浮きの断面図である。
【図２】本実施形態に係る魚釣り用浮きを使用している時のイメージ図である。
【図３】本実施形態に係る魚釣り用浮きを使用している時のイメージ図である。
【図４】本実施形態に係る魚釣り用浮きの信号処理部の機能構成を示すブロック図の一例である。
【図５】本発明の実施形態の第１の変形例に係る魚釣り用浮きを使用している時のイメージ図である。
【図６】本発明の実施形態の第２の変形例に係る魚釣り用浮きの、上ケースと下ケースとの接触部の断面図である。
【図７】本発明の実施形態の第３の変形例に係る魚釣り用浮きの断面図である。
【図８】本発明の実施形態の第４の変形例に係る魚釣り用浮きを使用している時のイメージ図である。
【図９】本発明の実施形態の第５の変形例に係る魚釣り用浮きの信号処理部の機能構成を示すブロック図の一例である。
【発明を実施するための形態】
【００２０】
以下、図面を参照して、本発明の実施形態に係る魚釣り用浮きについて詳細に説明する。
【００２１】
図１は、本発明の一実施形態に係る魚釣り用浮きの断面図である。魚釣り用浮き１は、ケーシング２と、ケーシング２の内部に実装されている圧力センサ３と、圧力センサ３の出力信号を処理する信号処理部（信号処理回路基板）４と、を備える。
【００２２】
ケーシング２は、水密構造であり、水圧により変形可能である。すなわち、ケーシング２は、水圧が高くなると内側にたわみ、水圧が低くなると元の形状に戻るように、例えば弾性変形するような材質で構成されている。したがって、ケーシング２の材質は、プラスチック、薄い金属、木材など、一般的な浮きに使用する材料を用いればよい。ケーシング２の全体が変形する必要はなく、ケーシング２の一部において変形する箇所があればよい。
【００２３】
ケーシング２は、例えば、上ケース２１と下ケース２２から構成される。上ケース２１と下ケース２２との接触部２３がネジ構造（嵌合構造）を有し、弾性体であるＯリング２４を介して、上ケース２１と下ケース２２とを締め付けることにより、ケーシング２の水密性が保たれる。なお、本発明の魚釣り用浮きのケーシング２の構造は上述のものに限定されず、水密構造で水圧により変形可能であればよい。
【００２４】
魚釣り用浮き１は、さらに、「魚のあたり」を検出したときに発光するＬＥＤ（発光素子）５などを具備してもよい。ＬＥＤを具備している場合、ケーシング２のＬＥＤ近傍部２５は、ＬＥＤの光が透過するように、例えば半透明に構成されている。
【００２５】
図２は、本実施形態に係る魚釣り用浮きを使用している時のイメージ図である。図２（ａ）は、魚が釣り針にかかっていない時の魚釣り用浮きを示し、図２（ｂ）は、魚が釣り針にかかった時の魚釣り用浮きを示す。図２では、ケーシング２の厚みなどは省略している。
【００２６】
魚釣り用浮き１は、ケーシング２に備えられた道糸挿通環６に道糸１０を通して使用される。道糸挿通環６と道糸１０とは、結ばれていてもよいし、結ばれていなくてもよい。道糸１０の一端は、釣り竿１１に接続し、他端は、ハリス１２を介して、釣り針１３と接続している。道糸１０には錘（図示なし）などが接続されていてもよい。
【００２７】
圧力センサ３は、ケーシング２内部の圧力変動を検出する。図２（ａ）に示すように、魚が釣り針にかかっていない時は、ケーシング２の本体部２６の上部が水面上に出ており、この時のケーシング２内部の圧力をＰ０とする。
【００２８】
図２（ｂ）に示すように、魚が釣り針の餌に食いつきハリスを引くと、魚釣り用浮き１は下方（図中の矢印）に引っ張られ、ケーシング２の本体部２６が水中に入った状態となる。この時、魚釣り用浮き１にかかる水圧が増加し、ケーシング２が内側に圧縮変形してケーシング２内部の圧力が増加する。この時のケーシング２内部の圧力をＰ１とすると、Ｐ１＞Ｐ０の関係を満たす。
【００２９】
このケーシング２内部の圧力変動を圧力センサ３が検出し、信号処理部４が圧力センサ３の出力信号を処理する。圧力変化がある閾値を超えた場合に、信号処理部４は、例えばＬＥＤ５を発光させる。図２（ｂ）は、ＬＥＤ５が発光した状態を示している。
【００３０】
図３は、本実施形態に係る魚釣り用浮きを使用している時のイメージ図である。図３は、魚が釣り針にかかっていない時を示し、道糸や釣り針は省略している。図３（ａ）は、風によって、魚釣り用浮き１が傾く様子を示し、この時のケーシング２内部の圧力をＰ２とする。図３（ａ）に示すように、風が当たって魚釣り用浮き１が斜めになった時、ケーシング２の本体部２６の上側（図の左側）における圧縮力は小さくなり、下側（図の右側）における圧縮力は大きくなる。ただし、ケーシング２の本体部２６にかかる圧縮力の総和は、魚釣り用浮き１が斜めになった時と斜めになる前とで、あまり変わらない。すなわち、Ｐ２≒Ｐ０とみなすことができる。
【００３１】
図３（ｂ）は、波によって、魚釣り用浮き１が傾いたり上下に動いたりする様子を示し、この時のケーシング２内部の圧力をＰ３とする。例えば図に示すように、魚釣り用浮き１の左側に大きな波がかかっている時、ケーシング２の本体部２６の左側における圧縮力は大きくなり、右側における圧縮力は小さくなる。ただし、図３（ａ）と同様に、図３（ｂ）でも、ケーシング２の本体部２６にかかる圧縮力の総和は、あまり変化しない。すなわち、Ｐ３≒Ｐ０とみなすことができる。
【００３２】
このように、本実施形態に係る魚釣り用浮きによれば、風や波を受けない状態のケーシング２内部の圧力Ｐ０と、風や波を受けた状態のケーシング２内部の圧力Ｐ２、Ｐ３はほぼ等しいとみなすことができる。すなわち、本実施形態に係る魚釣り用浮きによれば、ケーシング２内部の圧力は、風や波の影響を受けにくく、魚が釣り針にかかった時のケーシング２内部の圧力Ｐ１との識別が容易である。そのため、風や波の影響による水圧の変化と、「魚のあたり」による水圧の変化との判別が容易である。
【００３３】
このことは、従来技術のように水圧検知箇所が特定の位置にある場合は、不可能である。すなわち、従来技術の場合、風や波の影響を受けて検出する水圧が変化するため、風や波の影響による水圧の変化と、「魚のあたり」による水圧の変化との判別が難しい。
【００３４】
本実施形態に係る魚釣り用浮きに用いる圧力センサ３としては、既存のものを用いることができる。例えば、特開２０１３−２３４８５３号公報に開示されている圧力センサを用いれば、圧力変動を高感度に検出でき、圧力変動のカットオフ周波数（遮断周波数）ｆｃを任意の値に設定できるので好ましい。
【００３５】
図４は、本実施形態に係る魚釣り用浮きの信号処理部（信号処理回路基板）４の機能構成を示すブロック図の一例である。図４は、魚釣り用浮き１がＬＥＤ５を具備している例を示し、信号処理部４は、圧力センサ３およびＬＥＤ５と接続している。
【００３６】
信号処理部４は、フィルタ（フィルタ回路）４１と、判別部（判別回路）４２と、ＬＥＤ駆動部（ＬＥＤ駆動回路）４３と、電源（電源回路）４４とを備える。なお、信号処理部４はハードウェア的な回路で実現してもよいし、各機能構成をソフトウェア的に実現するマイコンなどで実現してもよい。
【００３７】
フィルタ（フィルタ回路）４１は、バンドパスフィルタ（ＢＰＦ）、またはハイパスフィルタ（ＨＰＦ）とローパスフィルタ（ＬＰＦ）の組み合わせから構成され、圧力センサ３の出力信号から、「魚のあたり」の周波数成分以外の周波数成分を除去（カット）する。「魚のあたり」の周波数成分以外の周波数とは、例えば、波や風による魚釣り用浮きの振動周波数である。すなわち、フィルタ４１は、圧力センサ３の出力信号から、波や風による魚釣り用浮きの振動周波数を除去するように構成されている。さらに、フィルタ４１は、圧力センサ３の出力信号から、魚釣り用浮きの上下・左右の固有振動を除去することができることが好ましい。具体的には、例えば、ＨＰＦのカットオフ周波数（遮断周波数）ｆｃを数Ｈｚ程度に設定すればよい。また、フィルタ４１は、圧力センサ３の出力信号から、温度や音に基づくノイズ成分を除去できることが好ましい。具体的には、例えば、ＬＰＦのカットオフ周波数（遮断周波数）ｆｃを数十Ｈｚ程度に設定すればよい。
【００３８】
判別部（判別回路）４２は、フィルタ４１を通過した圧力センサ３の出力信号に基づいて「魚のあたり」の判別（識別）を行う。判別部４２は、ＩＣなどでハードウェア的に実現してもよいし、マイコンなどを用いてソフトウェア的に実現してもよい。
【００３９】
判別部４２として、任意に設定した閾値との比較を行うコンパレータＩＣを用いれば、圧力変化が閾値を超えるか否かを判別することができる。あるいは、判別部４２として、ＡＤコンバータを内蔵したマイコンを用いれば、圧力センサ３の出力の信号解析（周波数解析など）を行うことができるので、より高度な識別ができる。
【００４０】
ＬＥＤ駆動部（ＬＥＤ駆動回路）４３は、単色または多色のＬＥＤ５を駆動できるよう構成され、ＬＥＤ５に流す電流をコントロールできるように構成されている。このような構成により、信号処理部４は、ＬＥＤ５の点灯・消灯を制御する。
【００４１】
電源（電源回路）４４は、信号処理部４内の各構成に電源を供給する。電源（電源回路）４４は、リチウム電池から構成されているが、他の電池を用いてもよい。ＬＥＤ５は、単色または多色の高輝度発光ダイオードであるが、他の発光素子であってもよい。
【００４２】
次に、本発明の実施形態に係る魚釣り用浮きの第１の変形例について説明する。第１の変形例では、ケーシング２の先端部２７において、他の部分より変形しやすい易変形部２８を設けている。すなわち、ケーシング２の一部を変形しやすい構造としている。それ以外の魚釣り用浮きの構成は、図１と同じであるので説明を省略する。図５は、本発明の実施形態の第１の変形例に係る魚釣り用浮きを使用している時のイメージ図である。図５（ａ）は魚が釣り針にかかっていない時を示し、図５（ｂ）は魚が釣り針にかかった時を示す。
【００４３】
易変形部２８では、ケーシング２の厚みを他の部分より薄くしている、あるいは、他の部分より柔らかい素材からケーシング２を構成している。易変形部２８は、魚が釣り針にかかっていない時は、水面より上に位置する。魚が釣り針にかかって魚釣り用浮きが下に引っ張られると、易変形部２８は水中に入り、大きく圧縮変形される。易変形部２８の変形が大きいため、ケーシング２内部の圧力が大きく増加し、圧力センサ３が測定する圧力変動の感度が向上する。
【００４４】
第１の変形例において、魚が釣り針にかかっていない時のケーシング２内部の圧力をＰ０、魚が釣り針にかかった時のケーシング２内部の圧力をＰ１´とすると、Ｐ１´＞Ｐ１＞Ｐ０の関係を満たす。すなわち、ケーシング２内部の圧力の増加はＰ１´−Ｐ０であり、Ｐ１´−Ｐ０＞Ｐ１−Ｐ０の関係を満たすので、圧力センサ３が測定する圧力変動の感度が向上する。
【００４５】
例えば波や風があるときに、易変形部２８が水中に入らないように魚釣り用浮きの浮力を調整して、魚の引きがあったとき（魚が釣り針にかかったとき）に易変形部２８が水中に入るようにすれば、魚の引き（魚が釣り針にかかったことを検知する）の感度が高くなり、「魚のあたり」を正確に検出することができる。
【００４６】
なお、厚みを薄くするあるいは柔らかい素材にする部分は、ケーシング２の先端部２７全体でなくてもよく、一部であればよい。図５に示す例では、ケーシング２の先端部２７のうち、ＬＥＤ５の近傍を除く部分が易変形部２８となっている。
【００４７】
次に、本発明の実施形態に係る魚釣り用浮きの第２の変形例について説明する。第２の変形例では、ケーシング２が上ケース２１と下ケース２２から構成される場合に、上ケース２１と下ケース２２との接触部２３のネジ構造（嵌合構造）にガタを持たせ、弾性体であるＯリング２４が変形する。それ以外の魚釣り用浮きの構成は、図１と同じであるので説明を省略する。図６は、本発明の実施形態の第２の変形例に係る魚釣り用浮きの、上ケース２１と下ケース２２との接触部２３の断面図である。図６（ａ）は魚が釣り針にかかっていない時を示し、図６（ｂ）は魚が釣り針にかかった時を示す。
【００４８】
ケーシング２が上ケース２１と下ケース２２から構成される場合、上ケース２１と下ケース２２との接触部２３がネジ構造（嵌合構造）を有し、弾性体であるＯリング２４を介して、上ケース２１と下ケース２２とを締め付けることにより、ケーシング２の水密性が保たれる。ここで、第２の変形例では、図６（ａ）に示すように、接触部２３のネジ構造（嵌合構造）にガタを持たせている。すなわち、接触部２３のネジ構造（嵌合構造）において、上ケース２１と下ケース２２は互いに可動しやすくなっている。
【００４９】
魚釣り用浮きが水中に引き込まれ、ケーシング２にかかる圧縮力が大きくなると、図６（ｂ）に示すように、弾性体であるＯリング２４が高さ方向につぶれて上ケース２１と下ケース２２が接近する。これにより、ケーシング２内部の容積が小さくなり、ケーシング２の内圧が上がる。嵌合構造およびＯリングの材質や大きさによって、圧力センサ３が測定する圧力変動の感度を調整できるので、この感度の最適化が可能である。
【００５０】
次に、本発明の実施形態に係る魚釣り用浮きの第３の変形例について説明する。図７は、本発明の実施形態の第３の変形例に係る魚釣り用浮きの断面図である。第３の変形例では、図７に示すように、ケーシング２の内部空間を充填材３０で埋めている。充填材３０としては、魚釣り用浮きの機能を損なわない比重であればよく、軽い発泡体などを用いることができる。それ以外の魚釣り用浮きの構成は、図１と同じであるので説明を省略する。
【００５１】
ケーシング２の内部空間を充填材３０で埋めることにより、ケーシング２の内部空間の容積が小さくなる。魚釣り用浮きが水中に引き込まれ、ケーシング２にかかる圧縮力が大きくなると、ケーシング２の内部容積が減少する。この時、充填材３０によりケーシング２の内部空間の容積が小さくなっているため、充填材３０が入っていない場合と比較して、ケーシング２の内圧の変化が大きくなる、つまり圧力センサ３が測定する圧力変動の感度が大きくなる。
【００５２】
また、ケーシング２の内部空間が大きい場合、魚釣り用浮きが回転したときに発生する遠心力によって気圧の偏りが発生し、圧力センサ３の出力に重畳する。これは、「魚のあたり」を判別するときにノイズとなる。第３の変形例のようにケーシング２の内部空間を充填材３０で埋め、ケーシング２の内部空間の容積を小さくすることで、気圧の偏りを抑え、上述のようなノイズを除去することができる。
【００５３】
次に、本発明の実施形態に係る魚釣り用浮きの第４の変形例について説明する。第４の変形例では、ＬＥＤ５の点灯のさせ方が、上述の例とは異なる。それ以外の魚釣り用浮きの構成は、図１と同じであるので説明を省略する。図８は、本発明の実施形態の第４の変形例に係る魚釣り用浮きを使用している時のイメージ図である。図８（ａ）は魚が釣り針にかかっていない時を示し、図８（ｂ）および図８（ｃ）は魚が釣り針にかかった時を示す。
【００５４】
第４の変形例では、図８（ａ）に示すように、魚が釣り針にかかっていない時も、信号処理部４は、ＬＥＤ５が点灯状態となるように制御する。これにより、特に夜間において、ＬＥＤ５が点灯していることで視認性を確保することができる。「魚のあたり」があったときは、その大きさに応じて、信号処理部４は、ＬＥＤ５の輝度をさらに高くすることにより「魚のあたり」を知らせる。図８（ｂ）は、魚が釣り針にかかった時に、ＬＥＤ５の輝度が図８（ａ）よりも高くなっていることを示している。あるいは、「魚のあたり」があったときに、信号処理部４は、ＬＥＤ５の輝度を通常よりも弱くするように制御してもよい。
【００５５】
また、ＬＥＤ５として多色ＬＥＤを用いれば、「魚のあたり」があったときに、ＬＥＤの色を変えて分かりやすくすることができる。図８（ｃ）は、魚が釣り針にかかった時に、ＬＥＤ５が図８（ａ）と異なる色に点灯していることを示している。ＬＥＤ５として３色ＬＥＤを用いれば、釣りに都合のよい色に点灯するように調整でき、釣り人が「魚のあたり」をより認識しやすくすることができる。
【００５６】
次に、本発明の実施形態に係る魚釣り用浮きの第５の変形例について説明する。図９は、本発明の実施形態の第５の変形例に係る魚釣り用浮きの信号処理部の機能構成を示すブロック図の一例である。第５の変形例では、「魚のあたり」を無線通信で送信できるように、信号処理部４に無線送信部５０を設けている点が、上述の例とは異なる。それ以外の魚釣り用浮きの構成は、図１と同じであるので説明を省略する。
【００５７】
信号処理部４は、フィルタ（フィルタ回路）４１と、判別部４２と、電源（電源回路）４４と、無線送信部５０を備える。判別部４２は、マイコンなどを用いてソフトウェア的に実現される。フィルタ（フィルタ回路）４１、判別部４２、電源（電源回路）４４などの機能は、図４に示す実施形態と同様であるので、説明を省略する。
【００５８】
なお、図９は、魚釣り用浮きがＬＥＤ５を具備している例を示しているが、魚釣り用浮きにＬＥＤ５を設けなくてもよい。魚釣り用浮きがＬＥＤ５を具備している場合、図４に示す実施形態と同様に、信号処理部４は、ＬＥＤ５を駆動するためのＬＥＤ駆動部（ＬＥＤ駆動回路）４３を有する。
【００５９】
無線送信部５０は、判別部４２による「魚のあたり」の判別（識別）結果を、無線通信で外部の無線受信器５１に送信する。無線受信器５１としては、例えばスマートフォンなどを用いることができる。「魚のあたり」があると、無線受信器５１には「魚のあたり」を知らせる音が出されたり表示がされたりして、釣り人は音や表示で「魚のあたり」を知ることができる。すなわち、魚釣り用浮きにＬＥＤ５が設けられていない場合でも、無線受信器５１を用いて、釣り人が「魚のあたり」を認識することができる。
【００６０】
なお、信号処理部４が行う信号処理は、必ずしも魚釣り用浮きの内部で行う必要はなく、無線受信器５１の側で行うように構成してもよい。この場合、魚釣り用浮きは、信号処理部４のフィルタ４１および判別部４２を具備せず、圧力センサ３の出力データを外部に伝達する伝達手段（例えば、無線送信部５０）を具備すればよい。
【００６１】
以上、本発明の一実施形態およびその変形例を説明したが、これらを組み合わせてもよい。また、本発明はこれら実施形態およびその変形例に限定されることはない。本発明の趣旨を逸脱しない範囲で、構成の付加、省略、置換、およびその他の変更が可能である。また、本発明は前述した説明によって限定されることはなく、添付のクレームの範囲によってのみ限定される。
【符号の説明】
【００６２】
１  魚釣り用浮き
２  ケーシング
３  圧力センサ
４  信号処理部（信号処理回路基板）
５  ＬＥＤ（発光素子）
６  道糸挿通環
７  キャビティ開口部
１０  道糸
１１  釣り竿
１２  ハリス
１３  釣り針
２１  上ケース
２２  下ケース
２３  接触部
２４  Ｏリング（弾性体）
２５  ＬＥＤ近傍部
２６  本体部
２７  先端部
２８  易変形部
３０  充填材
４１  フィルタ（フィルタ回路）
４２  判別部（判別回路）
４３  ＬＥＤ駆動部（ＬＥＤ駆動回路）
４４  電源（電源回路）
５０  無線送信部
５１  無線受信器
【図１】
2020195313.tif 000003
【図２】
2020195313.tif 000004
【図３】
2020195313.tif 000005
【図４】
2020195313.tif 000006
【図５】
2020195313.tif 000007
【図６】
2020195313.tif 000008
【図７】
2020195313.tif 000009
【図８】
2020195313.tif 000010
【図９】
2020195313.tif 000011